(57)【特許請求の範囲】
【請求項１】
その外面を平らにおいた基体の表面に接して水平に取り付けた第１のフレームと、
前記第１のフレームの外面とは背中合せの内面に対向するように設けられ、それぞれ中央部に凹みが形成されてあって前記第１のフレームと共同して中空部を画成する第２のフレームと、
前記中空部向けに発光する発光体と、少なくとも前記発光体を取り付けた表面及び前記基体の表面に設けられる前記発光体を取り付けた表面以外の面を有する第１のベースと、前記発光体を覆うように前記第１のベースの表面に設けられた透光性を有する第１のマスクを有する発光ユニットと、
前記発光体からの光を受ける受光体と、少なくとも前記受光体を取り付けた表面及び前記基体の表面に設けられる前記受光体を取り付けた表面以外の面を有する第２のベースと、前記受光体を覆うように前記第２のベースの表面に設けられた透光性を有する第２のマスクを有する受光ユニットと、
前記中空部に移動自在に内蔵されており、その移動によって前記発光ユニットと前記受光ユニットとから形成された光軸に沿って前記中空部を通る光線の透過率を変えられる可動部材と
からなり、
前記発光ユニットの前記発光体を取り付けた表面及び前記受光ユニットの前記受光体を取り付けた表面が前記第２のフレームに対向し、前記発光ユニット及び前記受光ユニットが前記第１のフレームを挟んで前記第１のフレームと一列に並び、前記発光体を取り付けた前記表面と逆の背面と、前記受光体を取り付けた前記表面と逆の背面を前記第１のフレームの外面と共に前記基体の表面と接して設けられ、
前記第２のフレームは、前記基体の表面に前記第１のフレームを挟んで前記発光ユニットと受光ユニットとが一連に並んだ状態をして密封状に被せてなることを特徴とするスイッチモジュール。
【請求項２】
その外面を平らにおいた基体の表面に接して水平に取り付けた第１のフレームと、
前記第１のフレームの外面とは背中合せの内面に対向するように設けられ、それぞれ中央部に凹みが形成されてあって前記第１のフレームと共同して中空部を画成する第２のフレームと、
前記中空部向けに発光する発光体と、少なくとも前記発光体を取り付けた表面及び前記基体の表面に設けられる前記発光体を取り付けた表面以外の面を有する第１のベースと、前記発光体を覆うように前記第１のベースの表面に設けられた透光性を有する第１のマスクを有する発光ユニットと、
前記発光体からの光を受ける受光体と、少なくとも前記受光体を取り付けた表面及び前記基体の表面に設けられる前記受光体を取り付けた表面以外の面を有する第２のベースと、前記受光体を覆うように前記第２のベースの表面に設けられた透光性を有する第２のマスクを有する受光ユニットと、
前記中空部に移動自在に内蔵されており、その移動によって前記発光ユニットと前記受光ユニットとから形成された光軸に沿って前記中空部を通る光線の透過率を変えられる可動部材と
からなり、
前記発光ユニットの前記発光体を取り付けた表面と前記受光ユニットの前記受光体を取り付けた表面が互いに対向するように前記発光ユニット及び前記受光ユニットが前記第１のフレームを介して前記第１のフレームと一列に並び、前記発光体を取り付けた前記表面以外の面及び前記受光体を取り付けた前記表面以外の面を前記第１のフレームの外面と共に前記基体の表面と接して設けられ、
前記第２のフレームは、前記基体の表面に前記第１のフレームを挟んで前記発光ユニットと受光ユニットとが一連に並んだ状態をして密封状に被せてなることを特徴とするスイッチモジュール。
【請求項３】
請求項１又は２において、
前記第１のフレームの前記中空部側の内面に形成された凹みの対向する両側部に、前記光軸に垂直に切り欠いて第１の凹部と第２の凹部を形成し、
前記第２のフレームの前記中空部側の内面に形成された凹みの対向する両側部に、前記第１の凹部と前記第２の凹部に対応して前記第１の凹部と前記第２の凹部と互いに突き合せてそれぞれ第１の通孔と第２の通孔を画成する第３の凹部と第４の凹部とを形成している
ことを特徴とするスイッチモジュール。
【請求項４】
請求項３において、
前記第１のフレームの凹みと前記第２のフレームの凹みとは、それぞれ突き合せて球状中空部を画成するように、それぞれが半球形に形成されることを特徴とするスイッチモジュール。
【請求項５】
請求項３において、
前記第１のフレームの凹みと前記第２のフレームの凹みとは、互いに突き合わせて両端開口の管状中空部を画成するようにそれぞれ溝形に形成していることを特徴とするスイッチモジュール。
【請求項６】
請求項５において、
前記第１のフレームの凹みと前記第２のフレームの凹みとは、それぞれ突き合せて断面が円形に形成されるように、それぞれ断面が半円形に形成されることを特徴とするスイッチモジュール。
【請求項７】
請求項５又は６において、
前記第１のフレームの凹みと前記第２のフレームの凹みのそれぞれの一端開口に近い溝面に、前記それぞれの一端開口を塞ぐブロックが垂直に突出て形成されることを特徴とするスイッチモジュール。
【請求項８】
請求項１又は２において、
前記第１のフレームとしては、前記光軸に直交方向へ伸びるウェブ部とウェブ部の両側から直立延伸する２のフランジ部とを有するＵの字形凹みをした２端開口の溝に形成され、前記２のフランジ部にそれぞれ、前記光軸に沿って第１の通孔と第２の通孔を形成することを特徴とするスイッチモジュール。
【請求項９】
請求項８において、
前記溝のウェブ部の内面に、前記一端開口を塞ぐブロックが垂直に突出るように設けられることを特徴とするスイッチモジュール。
【請求項１０】
請求項９において、
前記溝の前記他端開口から前記一端側のブロックまでのウェブ部の内面が、前記第２のフレーム側に向斜することを特徴とするスイッチモジュール。
【請求項１１】
請求項８において、 
前記溝の内面が前記第２のフレーム側にＶの字形になることを特徴とするスイッチモジュール。
【請求項１２】
請求項１１において、 
前記溝の前記内面と背中合わせの外面が、前記Ｖの字形内面に対応して断面が前記第２のフレーム側にＶの字形になることを特徴とするスイッチモジュール。
【請求項１３】
請求項１又は２において、
前記可動部材としては、不透光材で形成することを特徴とするスイッチモジュール。
【請求項１４】
請求項１又は２において、
前記可動部材としては、屈折性を有する透光材で形成することを特徴とするスイッチモジュール。
【発明の詳細な説明】
【技術分野】
【０００１】
本発明は、スイッチモジュールに関する。
【背景技術】
【０００２】
従来のボールスイッチ１０００は、図３５、３６に示すように、例えば、筒形のフレーム１１と、フレーム１１の上から被せるカバー１６とをそなえた密閉状ハウジング内の両側に発光装置１２と受光装置１３が筒体１４を介して光軸上に対向して配置される。筒体１４は、第１のキャップ１４１と第２のキャップ１４２がそれぞれの半球状窪みにより画成した内腔１４３に、転がり自在にボール１５を内蔵し、前記光軸上におけるキャップ１４１、１４２の中央部にはそれぞれ光ビームに沿って通孔１４４、１４５が形成されている。ボール１５の移動により光ビームのしゃへい状態から受光装置１３が発光装置１２からの所定の透過光の強度を検知して開閉するスイッチである。ボールスイッチ１０００が発光装置１２及び受光装置１３のそれぞれの外側に引出された外部接続端子１２２、１３２を介して例えば図示しない基体の表面上に設けられており、ボール１５が内腔１４３内に転がり移動して光ビームの遮へい状態から受光装置１３が発光装置１２からの透過光線の強度を検知して開閉することにより、基体の輾転姿勢を検知することができる。
【特許文献１】米国特許第６,７４０,８６７号
【発明の開示】
【発明が解決しようとする課題】
【０００３】
上記ボールスイッチにおいては、受光装置１３の受光状態により基体の所定の転回姿勢を検出することができるが、なおも問題がある。つまり、フレーム１１やカバー１６、発光装置１２、受光装置１３、筒体１４などの構成部材が多く、それらの組立て精度が高くなければならない。
【０００４】
本発明は、上記問題点を解消しようとするもので、組立てが簡単で信頼性の高いスイッチモジュールを提供することを目的とする。
【課題を解決するための手段】
【０００５】
上記目的を達成すべく本発明は、その外面を平らにおいた基体の表面に接して水平に取り付けた第１のフレームと、前記第１のフレームの外面とは背中合せの内面に対向するように設けられ、それぞれ中央部に凹みが形成されてあって前記第１のフレームと共同して中空部を画成する第２のフレームと、前記基体と電気的に接続可能に前記基体の表面に取り付けられるように前記第１のフレームを挟んで設けられた発光ユニットと受光ユニットと、前記中空部に移動自在に内蔵されており、その移動によって前記発光ユニットと前記受光ユニットとから形成された光軸に沿って前記中空部を通る光線の透過率を変えられる可動部材とからなり、前記第２のフレームは、前記基体の表面に前記第１のフレームを挟んで前記発光ユニットと受光ユニットとが一連に並んだ状態をして密封状に被せてなることを特徴とするスイッチモジュールを提供しようとするものである。
【０００６】
前記スイッチモジュールにおいては、前記発光ユニットは、前記中空部向けに発光する発光体と、少なくとも前記発光体を取り付けた表面及び前記基体の表面に設けられる前記発光体を取り付けた表面以外の面を有する第１のベースと、前記発光体を覆うように前記第１のベースの表面に設けられた透光性を有する第１のマスクとを有し、前記受光ユニットは、前記発光体からの光を受ける受光体と、少なくとも前記受光体を取り付けた表面及び前記基体の表面に設けられる前記受光体を取り付けた表面以外の面を有する第２のベースと、前記受光体を覆うように前記第２のベースの表面に設けられた透光性を有する第２のマスクとを有し、前記発光ユニットの前記発光体を取り付けた表面及び前記受光ユニットの前記受光体を取り付けた表面が前記第２のフレームに対向するように前記発光ユニット及び前記受光ユニットが前記第１のフレームを介して前記第１のフレームと一連に並び、前記発光体を取り付けた前記表面と逆の背面と、前記受光体を取り付けた前記表面と逆の背面を前記第１のフレームの外面と共に前記基体の表面と接して設けることが好ましい。
【０００７】
また、前記発光ユニットは、前記中空部向けに発光する発光体と、少なくとも前記発光体を取り付けた表面及び前記基体の表面に設けられる前記発光体を取り付けた表面以外の面を有する第１のベースと、前記発光体を覆うように前記第１のベースの表面に設けられた透光性を有する第１のマスクとを有し、前記受光ユニットは、前記発光体からの光を受ける受光体と、少なくとも前記受光体を取り付けた表面及び前記基体の表面に設けられる前記受光体を取り付けた表面以外の面を有する第２のベースと、前記受光体を覆うように前記第２のベースの表面に設けられた透光性を有する第２のマスクとを有し、前記発光ユニットの前記発光体を取り付けた表面と前記受光ユニットの前記受光体を取り付けた表面が互いに対向するように前記発光ユニット及び前記受光ユニットが前記第１のフレームを介して前記第１のフレームと一連に並び、前記発光体を取り付けた前記表面以外の面及び前記受光体を取り付けた前記表面以外の面を前記第１のフレームの外面と共に前記基体の表面と接して設けることが好ましい。
【０００８】
また、前記スイッチモジュールにおいては、前記第１のフレームの前記中空部側の内面に形成された凹みの対向する両側部に、前記光軸に垂直に切り欠いて第１の凹部と第２の凹部を形成し、前記第２のフレームの前記中空部側の内面に形成された凹みの対向する両側部に、前記第１の凹部と前記第２の凹部に対応して前記第１の凹部と前記第２の凹部と互いに突き合せてそれぞれ両端開口の第１の通孔と第２の通孔を画成する第３の凹部と第４の凹部とを形成している。
【０００９】
また、前記第１のフレームの凹みと前記第２のフレームの凹みとは、それぞれ突き合せて球状中空部を画成するように、それぞれが半球形に形成されることが好ましい。
【００１０】
また、前記第１のフレームの凹みと前記第２のフレームの凹みとは、互いに突き合わせて両端開口の管状中空部を画成するようそれぞれ溝形に形成することが好ましい。
【００１１】
また、前記第１のフレームの凹みと前記第２のフレームの凹みとは、それぞれ突き合せて断面が円形に形成されるように、それぞれ断面が半円形に形成されることが好ましい。
【００１２】
また、前記第１のフレームの凹みと前記第２のフレームの凹みのそれぞれの一端開口に近い溝面に、前記それぞれの一端開口を塞ぐブロックが垂直に突出て形成されるようにしてもよい。
【００１３】
また、前記第１のフレームとしては、前記光軸に直交方向へ伸びるウェブ部とウェブ部の両側から直立延伸する２のフランジ部とを有するＵの字形凹みをした２端開口の溝に形成され、前記２のフランジ部にそれぞれ、前記光軸に沿って第１の通孔と第２の通孔を形成するようにしてもよい。
【００１４】
また、前記溝のウェブ部の内面に、前記一端開口を塞ぐブロックが垂直に突出るように設けられるようにしてもよい。
【００１５】
また、前記溝の前記他端開口から前記一端側のブロックまでのウェブ部の内面が、前記第２のフレーム側に向斜するようにしてもよい。
【００１６】
また、前記溝の内面が前記第２のフレーム側にＶの字形になるようにしてもよい。
【００１７】
また、前記溝の前記内面と背中合わせの外面が、前記Ｖの字形内面に対応して断面が前記第２のフレーム側にＶの字形になるようにしてもよい。
【００１８】
前記可動部材としては、不透光材、または、屈折性を有する透光材で形成してもよい。
【発明の効果】
【００１９】
本発明のスイッチモジュールによれば、第１のフレームと発光ユニットと受光ユニットとが一連に並んだ状態で第２のフレームにより覆われるようにすることができるので、構成部材が従来のボールスイッチよりも少なく済み、組立てが簡単になり信頼性の高い且つ小型化可能なスイッチモジュールを提供することができる。
【発明を実施するための最良の形態】
【００２０】
以下、本発明の実施の形態を図面に基づいて説明する。
【００２１】
図１は、本発明の第１の実施の形態のスイッチモジュール１の分解斜視図、図２は、図１のスイッチモジュール１の組立底面斜視図、図３は、第１のフレーム５０を挟んで発光ユニット３０及び受光ユニット４０を一連に並設した状態を示す斜視図、図４は、スイッチモジュール１を基体１１１に取り付けた状態を示す斜視図、図５は、図４のＶ―Ｖ線における正面断面図、図６は、図４のＶＩ―ＶＩ線における側面断面図を示す。本発明の第１の実施の形態に係るスイッチモジュール１としては、図１〜６に示すように、概ね第１のフレーム５０と、第２のフレーム２０と、発光ユニット３０と、受光ユニット４０と、可動部材６０とを含む。
【００２２】
第１のフレーム５０は、平らにおいた基体例えばプリント配線板１１１の表面に接して水平に取り付ける外面５２を有する。この例においては、第１のフレーム５０の中空部７１側即ち外面５２とは背中合せの内面５１に、第１の凹み５７が形成され、第１の凹み５７の対向する両側部５３、５４に、発光ユニット３０と受光ユニット４０とからなる光軸Ｏに垂直に切り欠いて第１の凹部５８と第２の凹部５９を形成している。
【００２３】
第２のフレーム２０は、図５に示すように、第１のフレーム５０とにより可動部材６０が内蔵され可能な中空部７１を画成するように、第１のフレーム５０の内面５１に対向するように設けられている。第２のフレーム２０の中空部７１側の内面２１１に、第１の凹み５７に対応して第１の凹み５７と互いに突き合せて中空部７１を画成する第２の凹み２７１が形成され、第１の凹み５７と第２の凹み２７１とは、球状中空部７１を画成するように、それぞれが半球形に成形され、また、第２の凹み２７１の対向する両側部に、第１の凹部５８と第２の凹部５９に対応して第１の凹部５８と第２の凹部５９と互いに突き合せてそれぞれ両端開口の第１の通孔７２と第２の通孔７３を画成する第３の凹部２７２と第４の凹部２７３とを形成している。
【００２４】
発光ユニット３０は、第１の通孔７２を介して中空部７１に発光する発光体３２と、少なくとも発光体３２を取り付けた表面３１１及びプリント配線板１１１の表面に設けられる発光体３２を取り付けた表面３１１を除く面例えば表面３１１と逆の背面３１２を有する第１のベース３１と、発光体３２を覆うように第１のベース３１の表面３１１に設けられた透光性を有する第１のマスク３３とを有する。
【００２５】
受光ユニット４０は、第２の通孔７３を介して発光体３２からの光を受ける受光体４２と、少なくとも受光体４２を取り付けた表面４１１及びプリント配線板１１１の表面に設けられる受光体４２を取り付けた表面４１１除く面例えば表面４１１と逆の背面４１２を有する第２のベース４１と、受光体４２を覆うように第２のベース４１の表面４１１に設けられた透光性を有する第２のマスク４３とを有する。
【００２６】
この例では、発光ユニット３０における、発光体３２の表面３１１と逆の背面３１２と、受光ユニット４０における、受光体４２の表面４１１と逆の背面４１２を第１のフレーム５０の外面５２と共にプリント配線板１１１の表面と電気的に接続可能に取り付けられるように第１のフレーム５０を挟んで設けられている。
【００２７】
可動部材６０は、この例においては透光性を有する材料によりボール状に成形されており、中空部７１に移動自在に内蔵されており、プリント配線板１１１の移動と共に可動部材６０が転がんだり跳ねたりすることで、発光ユニット３０と受光ユニット４０とから形成された光軸Ｏに沿って通る光線の透過率を変えられる。
【００２８】
このようなスイッチモジュール１を半だ付けなどによりプリント配線板１１１の表面に電気的に接続し、発光体３２を点灯状態に維持した状態で、該発光体３２の発した光の一部が第１の通孔７２を通して中空部７１内に発光する。プリント配線板１１１が動かして転動するとき、可動部材６０が転んだり、はねたりして、発光体３２及び受光体４２からなる光軸Ｏに沿って中空部を通る光線の透過率を変える。そして予め当該透過率の違いによってＯＮ状態又はＯＦＦ状態に設定することができる。以上により、スイッチモジュール１は、揺動や振動により、ＯＮ状態やＯＦＦ状態を切り替えることができ、振動スイッチとして好適である。
【００２９】
この実施形態のスイッチモジュール１によれば、第１のフレーム５０と発光ユニット３０と受光ユニット４０とが一連に並んだ状態で第２のフレーム２０により覆われるようにすることができるので、従来よりも少ない構成要素によりコンパクトに組立てられる効果を有する。
【００３０】
図７は、本発明の第２の実施の形態に係るスイッチモジュール２の分解斜視図、図８は、発光ユニット３０と受光ユニット４０とを第１のフレーム５０を挟むように対向して一連に並列した斜視図、図９は図８の組立斜視図である。図７〜９に示すように、発光ユニット３０と受光ユニット４０とは、発光体３２を取り付けた表面３１１と受光体４２を取り付けた表面４１１が互いに対向するように発光ユニット３０及び受光ユニット４０が第１のフレーム５０を挟持しながら第１のフレーム５０と一連に並び、プリント配線板１１１に取り付ける側面３１４及びプリント配線板１１１に取り付ける側面４１３を第１のフレーム５０の外面５２と共にプリント配線板１１１の表面に電気的に接続可能に取り付けられるように第１のフレーム５０を挟んで設けられている他、前記第１の実施の形態の構成とほぼ同じである。
【００３１】
この形態のスイッチモジュール２によれば、前記形態例のスイッチモジュールと同様な効果を有する。
【００３２】
図１０は、本発明の第３の実施の形態に係るスイッチモジュール３の分解斜視図である。図１１は、図１０のスイッチモジュール３の組立底面斜視図、図１２は、スイッチモジュール３を基体（プリント配線板）１１１に取り付けた状態を示す正面断面図、図１３は、スイッチモジュール３をプリント配線板１１１に取り付けた状態を示す側面断面図を示す。
【００３３】
図１０〜１３に示すように、前記第２の実施の形態のスイッチモジュール２と同様に発光ユニット３０と受光ユニット４０とを対向して第１のフレーム８０を挟んで同第１のフレーム８０と一列に設けられる。
【００３４】
第１のフレーム８０は、その中空部７４側の内面８１に、第１の溝形凹み８７が形成され、第１の溝形凹み８７の対向する両側部８３、８４に、光軸Ｏに垂直に切り欠いて第１の凹部８８と第２の凹部８９を形成する。
【００３５】
第２のフレーム２０は、内面２１１において第１の溝形凹み８７に対応して第１の溝形凹み８７と互いに突き合せて中空部７４を画成するように第２の溝形凹み２８１が形成され、第１の溝形凹み８７及び第２の溝形凹み２８１と互いに突き合せて断面が円管形に形成するように、それぞれ断面が半円形に成形され、また、第２の溝形凹み２８１の対向する両側部に、第１の凹部８８と第２の凹部８９に対応して第１の凹部８８と第２の凹部８９と互いに突き合せてそれぞれ両端開口の第１の通孔７５と第２の通孔７６を画成する第３の凹部２８２と第４の凹部２８３とを形成する。
【００３６】
可動部材６１は管状中空部７４に移動自在に内蔵されている。この例では可動部材６１は不透光性材料により成形されており、発光ユニット３０と受光ユニット４０とから形成された光軸Ｏに沿って通る光線を遮へいしたりする。
【００３７】
このスイッチモジュール３をプリント配線板１１１の表面に取り付け、発光体３２を点灯状態に維持するとき、図１４、１５、１６に示すように、可動部材６１が中空部７４を転がり移動することにより、発光ユニット３０と受光ユニット４０とから形成された光軸Ｏに沿って通る光線の透過率を変えることができる。このように、スイッチモジュール３は、プリント配線板１１１が動くと、可動部材６１の移動により、発光ユニット３０と受光ユニット４０とから形成された光軸Ｏに沿って通る光線を遮へいしたりすることにより、ＯＮ状態やＯＦＦ状態を切り替えることができるので、傾斜スイッチとして好適である。
【００３８】
この形態例のスイッチモジュール３によれば、前記形態例のスイッチモジュールと同様な効果を有する。
【００３９】
図１７は、本発明の第４の実施の形態に係るスイッチモジュール４の分解斜視図である。図１８は、図１７のスイッチモジュール４の側面断面図である。このスイッチモジュール４は、前記例の構成とほぼ同様であるが、第１フレーム８０と第２フレーム２０とは、互いに対応する内面８１、２１１に設けられた第１の溝形凹み８７及び第２の溝形凹み２８１にそれぞれの一端開口を塞ぐブロック８０１、２０１を設けている。なお、この例においては、可動部材６１としては、不透光性材で構成されている。この構成により、プリント配線板１１１が転倒傾斜するとき、ボール状可動部材６１が中空部７４内に移動し、プリント配線板１１１が一側に傾斜するとき、ずっと光軸Ｏに沿って通る光線を遮へいし、一方向のみ光軸Ｏに沿って通る光線を通すことができるので、ＯＮ状態やＯＦＦ状態を切り替えることができる。従って、この例のスイッチモジュール４は、一方向傾斜スイッチとして好適である。
【００４０】
この形態のスイッチモジュール４によれば、前記形態例のスイッチモジュールと同様な効果を有する。
【００４１】
図１９は、本発明の第５の実施の形態に係るスイッチモジュール５の分解斜視図、図２０は、図１９のスイッチモジュール５の組立斜視図、図２１は、スイッチモジュール５の正面断面図、図２２は、スイッチモジュール５の側面断面図である。このスイッチモジュール５は、図１９〜２２に示すように、前記形態例のスイッチモジュールの構成とほぼ同様であるが、第１のフレーム１００としては、光軸Ｏに垂直してウェブ部１０１とウェブ部１０１の両側から垂直に延伸するフランジ１０２、１０３とを有する、断面Ｕの字形にした両端開口の溝に形成されている。第１のフレーム１００の両フランジ１０２、１０３に、発光ユニット３０と受光ユニット４０とからなる光軸Ｏに沿って光線を通す第１の通孔１０４と第２の通孔１０５を形成し、また、両フランジ１０２、１０３の外面に突起１０６、１０７が形成され、発光ユニット３０と受光ユニット４０と緊密接触して設けられている。
【００４２】
可動部材６１は、Ｕの字形をした第１のフレーム１００内に移動自在に内蔵されており、ここで可動部材６１は不透光性材で構成されている。このようにして、前記形態例のスイッチモジュールと同様に、可動部材６１が転がり移動することにより、発光ユニット３０と受光ユニット４０とから形成された光軸Ｏに沿って通る光線を遮たりすることができる。
【００４３】
このスイッチモジュール５においては、図２３〜図２５のように、プリント配線板１１１が転倒すると、可動部材６１が転がり移動し、発光ユニット３０と受光ユニット４０とから形成された光軸Ｏに沿って通る光線をしゃへいしたりして、ＯＮ状態やＯＦＦ状態を切り替えることができる。このスイッチモジュール５は傾斜スイッチとして好適である。
【００４４】
このスイッチモジュール５によれば、前記形態例のスイッチモジュールと同様な効果を有する。
【００４５】
図２６は、本発明の第６の実施の形態に係るスイッチモジュール６の分解斜視図、図２７は、同スイッチモジュール６の側面断面図である。このスイッチモジュール６の構成は、前記形態例とほぼ同様であるが、Ｕの字形をした第１のフレーム１００のウェブ部１０１に、一端の開口を塞ぐブロック１０８が垂直に設けられている。このように、プリント配線板１１１が転倒するとき、発光ユニット３０と受光ユニット４０とから形成された光軸Ｏに沿って通る光線を遮たりして、ＯＮ状態やＯＦＦ状態を切り替えることができる。また、一方向のみ通すことができるので、一方向傾斜スイッチとして好適である。
【００４６】
このスイッチモジュール６によれば、前記形態例のスイッチモジュールと同様な効果を有する。
【００４７】
図２８は、本発明の第７の実施の形態に係るスイッチモジュール７を示す側面断面図である。このスイッチモジュール７は、前記形態例とほぼ同様な構成を有するが、第１のフレーム１００の、他端開口から一端側のブロック１０８までのウェブ部１０１が、第２のフレーム９０側に向斜するように形成されている。このように、可動部材６１をより確実にブロック１０８側に転がり移動し光軸Ｏに沿って通る光線を遮へいすることができるので、ＯＮ・ＯＦＦをより確実に切り替えることができる。
【００４８】
このスイッチモジュール７によれば、前記形態例のスイッチモジュールと同様な効果を有する。
【００４９】
図２９は、本発明の第８の実施の形態に係るスイッチモジュール８の分解斜視図である。図３０は、同スイッチモジュール８の組立側面断面図である。このスイッチモジュール８は前記形態例とほぼ同様な構成をするが、長溝１００のウェブ部１０１が、断面が第２のフレーム９０側にＶの字形に形成されている。このようにして、可動部材６１が転がり移動するとき、より確実に発光ユニット３０と受光ユニット４０とから形成された光軸Ｏに沿って通る光線を遮たりして、より確実にＯＮ状態やＯＦＦ状態を切り替えることができるので、ミス信号の発生を大幅に低減させることができる。
【００５０】
このスイッチモジュール８によれば、前記形態例のスイッチモジュールと同様な効果を有する。
【００５１】
図３１は、本発明の第９の実施の形態に係るスイッチモジュール９の分解斜視図である。図３２は、同スイッチモジュール９の側面断面図である。このスイッチモジュール９は、前記形態例とほぼ同様な構成をするが、発光ユニット３０と受光ユニット４０とにおいて発光体３２を取り付けた表面３１１と受光体４２を取り付けた表面４１１が互いに対向するように発光ユニット３０及び受光ユニット４０がＵの字形フレーム状に成形された第１のフレーム１００を挟持して一連に並ぶように設けられている。
【００５２】
このようにして可動部材６１が第１のフレーム１００の断面がＶの字形をしたウェブ１０１に転がり移動するとき、より確実に発光ユニット３０と受光ユニット４０とから形成された光軸Ｏに沿って通る光線を開閉することができることによって、より確実にＯＮ状態やＯＦＦ状態を切り替えることができるので、ミス信号の発生を大幅に低減させることができる。
【００５３】
このスイッチモジュール９によれば、前記形態例のスイッチモジュールと同様な効果を有する。
図３３は、本発明の第１０の実施の形態に係るスイッチモジュール１０の分解斜視図、図３４は、同スイッチモジュール１０の側面断面図である。このスイッチモジュール１０は前記形態例とほぼ同様な構成をするが、第１のフレーム１００において一端開口を封止するブロック１０９を設け、他端開口から一端側のブロック１０９までのウェブ部１０１が、第２のフレーム９０側に向斜するように設けられている。
【００５４】
このようにして可動部材６１が転がり移動するとき、より確実に発光ユニット３０と受光ユニット４０とから形成された光軸Ｏに沿って通る光線を遮たりして、より確実にＯＮ状態やＯＦＦ状態を切り替えることができるので、ミス信号の発生を大幅に低減させることができる。
【００５５】
このスイッチモジュール１０によれば、前記形態例のスイッチモジュールと同様な効果を有する。
【００５６】
以上により、本発明のスイッチモジュールは、発光ユニット３０及び受光ユニット４０が互いに対向する或いは第２のフレームに対向するように第１のフレームを挟んで設けられ、第２のフレームにより覆われていることでスイッチとしての性能を損なわずに構成を簡単化にすることができる。
【図面の簡単な説明】
【００５７】
【図１】本発明に係る第１の実施の形態の分解斜視図である。
【図２】図１のスイッチモジュール１の組立底面斜視図である。
【図３】第１のフレーム５０を挟んで発光ユニット３０及び受光ユニット４０を一連に並設した状態を示す斜視図である。
【図４】スイッチモジュール１を基体１１１に取り付けた状態を示す斜視図である。
【図５】図４のＶ―Ｖ線における正面断面図である。
【図６】図４のＶＩ−ＶＩ線における側面断面図を示す。
【図７】本発明の第２の実施の形態に係るスイッチモジュール２の分解斜視図である。
【図８】発光ユニット３０と受光ユニット４０とを第１のフレーム５０を挟むように対向して一連に並列した斜視図である。
【図９】図８の組立斜視図である。
【図１０】本発明の第３の実施の形態に係るスイッチモジュール３の分解斜視図である。
【図１１】図１０のスイッチモジュール３の組立底面斜視図である。
【図１２】スイッチモジュール３を基体１１１に取り付けた状態を示す正面断面図である。
【図１３】スイッチモジュール３を基体１１１に取り付けた状態を示す側面断面図を示す。
【図１４】スイッチモジュール３の可動部材６１の位置を示す斜視図である。
【図１５】スイッチモジュール３の可動部材６１の位置を示す斜視図である。
【図１６】スイッチモジュール３の可動部材６１の位置を示す斜視図である。
【図１７】本発明の第４の実施の形態に係るスイッチモジュール４の分解斜視図である。
【図１８】図１７のスイッチモジュール４の側面断面図である。
【図１９】本発明の第５の実施の形態に係るスイッチモジュール５の分解斜視図である。
【図２０】図１９のスイッチモジュール５の組立斜視図である。
【図２１】スイッチモジュール５の正面断面図である。
【図２２】スイッチモジュール５の側面断面図である。
【図２３】スイッチモジュール５の可動部材６１の位置を示す斜視図である。
【図２４】スイッチモジュール５の可動部材６１の位置を示す斜視図である。
【図２５】スイッチモジュール５の可動部材６１の位置を示す斜視図である。
【図２６】本発明の第６の実施の形態に係るスイッチモジュール６の分解斜視図である。
【図２７】スイッチモジュール６の側面断面図である。
【図２８】本発明の第７の実施の形態に係るスイッチモジュール７を示す側面断面図である。
【図２９】本発明の第８の実施の形態に係るスイッチモジュール８の分解斜視図である。
【図３０】スイッチモジュール８の組立側面断面図である
【図３１】本発明の第９の実施の形態に係るスイッチモジュール９の分解斜視図である。
【図３２】スイッチモジュール９の側面断面図である。
【図３３】本発明の第１０の実施の形態に係るスイッチモジュール１０の分解斜視図である。
【図３４】スイッチモジュール１０の側面断面図である。
【図３５】米国特許第６,７４０,８６７号に開示されたボールモジュールの分解斜視図である。
【図３６】米国特許第６,７４０,８６７号に開示されたボールモジュールの断面図である。
【符号の説明】
【００５８】
１０００…ボールスイッチ、１１…第１のフレーム、１２…発光装置、１３…受光装置、１２２、１３２…外部接続端子、１４…筒体、１４１…第１のキャップ、１４２…第２のキャップ、１４３…内孔、１４４、１４５…通孔、１５…ボール、１６…カバー、Ｏ…光軸、１、２、３、４、５、６、７、８、９、１０…スイッチモジュール、１１１…基体、２０、９０…第２のフレーム、２１１…内面、２７１…第２の凹み、２７２、２８２…第３の凹部、２７３、２８３…第４の凹部、２８１…第２の凹み、３０…発光ユニット、３１…第１のベース、３１１、３１２、３１３、３１４…面、３２…発光体、３３…第１のマスク、４０…受光ユニット、４１…第２のベース、４１１、４１２、４１３、４１４…面、４２…受光体、４３…第２のマスク、５０、８０、１００…第１のフレーム、５１、８１…内面、５２、８２…外面、５３、５４、８３、８４…側部、５７…第１の凹み、５８、８８…第１の凹部、５９、８９…第２の凹部、６０、６１…可動部材、７１…中空部、７２、７５、１０４…第１の通孔、７３、７６、１０５…第２の通孔、７４…管状中空部、８７…第１の凹み、２０１、８０１、１０８、１０９…ブロック、１０１…ウェブ部、１０２、１０３…フランジ、１０６、１０７…突起
【図１】
0004980259.tif 000002
【図２】
0004980259.tif 000003
【図３】
0004980259.tif 000004
【図４】
0004980259.tif 000005
【図５】
0004980259.tif 000006
【図６】
0004980259.tif 000007
【図７】
0004980259.tif 000008
【図８】
0004980259.tif 000009
【図９】
0004980259.tif 000010
【図１０】
0004980259.tif 000011
【図１１】
0004980259.tif 000012
【図１２】
0004980259.tif 000013
【図１３】
0004980259.tif 000014
【図１４】
0004980259.tif 000015
【図１５】
0004980259.tif 000016
【図１６】
0004980259.tif 000017
【図１７】
0004980259.tif 000018
【図１８】
0004980259.tif 000019
【図１９】
0004980259.tif 000020
【図２０】
0004980259.tif 000021
【図２１】
0004980259.tif 000022
【図２２】
0004980259.tif 000023
【図２３】
0004980259.tif 000024
【図２４】
0004980259.tif 000025
【図２５】
0004980259.tif 000026
【図２６】
0004980259.tif 000027
【図２７】
0004980259.tif 000028
【図２８】
0004980259.tif 000029
【図２９】
0004980259.tif 000030
【図３０】
0004980259.tif 000031
【図３１】
0004980259.tif 000032
【図３２】
0004980259.tif 000033
【図３３】
0004980259.tif 000034
【図３４】
0004980259.tif 000035
【図３５】
0004980259.tif 000036
【図３６】
0004980259.tif 000037